(57)【要約】【課題】  複数種類のサイズの用紙に対し穿孔可能で、かつ携帯に便利な穿孔パンチを提供する。 【解決手段】  システム手帳用のミニサイズ、バイブルサイズ及びＡ５サイズの用紙に対し穿孔可能なパンチ刃とダイ孔が設けられている。上記ダイ孔は板状のベース部材に設けられ、上記パンチ刃は上記ベース部材に対しヒンジ部を介して折り重ね又は起立可能に連結された板状の操作部材に設けられている。バイブルサイズ用のダイ孔とパンチ刃の一部は上記ベース部材の長さ方向に変位可能なスライド部に設けられ、上記スライド部の変位によりＡ５サイズ用のダイ孔とパンチ刃としても併用可能に形成されている。【選択図】  図１
0003126884.tif 000002
【実用新案登録請求の範囲】
【請求項１】
複数種類のサイズの用紙に対し穿孔可能なパンチ刃とダイ孔が設けられ、上記用紙のサイズは、システム手帳用のミニサイズ、バイブルサイズ及びＡ５サイズであることを特徴とする穿孔パンチ。 
【請求項２】
上記ダイ孔は板状に形成されたベース部材に設けられ、上記パンチ刃は上記ベース部材に対しヒンジ部を介して折り重ね又は起立可能に連結された板状の操作部材に設けられ、上記ダイ孔とパンチ刃は６穴用として形成されていることを特徴とする請求項１記載の穿孔パンチ。 
【請求項３】
上記ベース部材と上記操作部材を重ね合わせた状態の厚さ寸法が６．３ｍｍに設定されたことを特徴とする請求項２記載の穿孔パンチ。 
【請求項４】
上記ベース部材の幅方向の一方端部には上記ミニサイズ用のダイ孔とパンチ刃が配置され、上記ベース部材の幅方向の他方端部にはバイブルサイズ用のダイ孔とパンチ刃が配置され、上記バイブルサイズ用のダイ孔とパンチ刃の一部は上記ベース部材の長さ方向に変位可能なスライド部に設けられ、上記スライド部の変位によりＡ５サイズ用のダイ孔とパンチ刃としても併用可能に形成されていることを特徴とする請求項２〜３のいずれか１項に記載された穿孔パンチ。 
【請求項５】
上記ベース部材には各種サイズの用紙の位置合わせ用センターマークが表示されていると共に、上記ベース部材の長さ方向の端部には、各種サイズの用紙の端縁部を合わせて位置合わせするための基準部が形成されていることを特徴とする請求項２〜４のいずれか１項に記載された穿孔パンチ。 
【請求項６】
上記ベース部材には、バイブルサイズ及びＡ５サイズのシステム手帳に装着しうる連結部が設けられていることを特徴とする請求項１〜５のいずれか１項に記載された穿孔パンチ。 
【請求項７】
上記連結部として、システム手帳のバインダーの綴込リングを挿通しうるリング部が設けられていることを特徴とする請求項６記載の穿孔パンチ。
【考案の詳細な説明】
【技術分野】
【０００１】
本考案は穿孔パンチに係り、特に、複数種類のサイズの用紙に対し穿孔可能で、かつ携帯に便利なパンチに関する。 
【背景技術】
【０００２】
従来の一般的な穿孔パンチは、１種類のサイズの用紙に対応するように構成されており、１種類のサイズの用紙にしか穿孔できなかった。したがって、複数種類のサイズの用紙にそれぞれ穿孔するためには複数の穿孔パンチを用意しなければならないという煩雑さがあった。   
【０００３】
また、従来の穿孔パンチは、ダイ孔が設けられた基盤の上方に、パンチ刃を押下しうる操作レバーが配置されており、立体的に形成され、高さがあることから、持ち運ぶには嵩張りすぎて携帯には適していなかった。したがって、多くの穿孔パンチは事務所や家庭等の机上等に置かれることが多く、外出先で用紙に穿孔してシステム手帳にファイルしたい場合でも、事務所や家庭に戻ってから作業しなければならず、煩雑であった。
【０００４】
一方、いわゆるオーガナイザー手帳を持ち歩いていた場合、リフィル以外のペーパーであっても、バインダーに綴じ込みたい情報が記載されたペーパーもある。従って、携帯用の６穴パンチがあれば大変に便利である。
本出願人は上記不具合を解消しうる穿孔パンチについて調査したが関連する先行技術文献を見出すことはできなかった。
【考案の開示】
【考案が解決しようとする課題】
【０００５】
そこで本考案の課題は、複数種類のサイズの用紙に対し穿孔可能で、かつ携帯に便利な穿孔パンチを提供することにある。
【課題を解決するための手段】
【０００６】
上記課題を解決するために、請求項１記載の本考案に係る穿孔パンチは、複数種類のサイズの用紙に対し穿孔可能なパンチ刃とダイ孔が設けられ、上記用紙は、システム手帳用のミニサイズ、バイブルサイズ及びＡ５サイズであることを特徴とする。
【０００７】
すなわち、本考案に係る上記穿孔パンチにあっては、システム手帳用のミニサイズ、バイブルサイズ及びＡ５サイズという３種類のサイズの用紙に対し穿孔することができる。したがって、３種類のパンチを備える煩雑さを解消することができる。
【０００８】
また、本考案に係る上記穿孔パンチは、上記ダイ孔が板状に形成されたベース部材に設けられ、上記パンチ刃は上記ベース部材に対しヒンジ部を介して折り重ね又は起立可能に連結された板状の操作部材に設けられ、上記ダイ孔とパンチ刃は６穴用として形成されていることを特徴とする。
【０００９】
すなわち、本考案に係る上記穿孔パンチにあっては、上記ダイ孔が設けられた板状の上記ベース部材の上に用紙を載置して、上記パンチ刃が設けられた上記操作部材を上記ベース部材の上に折り重ねることにより、用紙に穿孔することができる。
【００１０】
また、本考案に係る上記穿孔パンチは、上記ベース部材と上記操作部材を重ね合わせた状態の厚さ寸法が６．３ｍｍに設定されたことを特徴とする。
【００１１】
すなわち、本考案に係る上記穿孔パンチにあっては、上記ベース部材の上に上記操作部材を重ね合わせた状態であっても厚さ寸法は過大にならず、システム手帳等により支障なく保持することができる。
【００１２】
また、本考案に係る上記穿孔パンチは、上記ベース部材の幅方向の一方端部には上記ミニサイズ用のダイ孔とパンチ刃が配置され、上記ベース部材の幅方向の他方端部にはバイブルサイズ用のダイ孔とパンチ刃が配置され、上記バイブルサイズ用のダイ孔とパンチ刃の一部は上記ベース部材の長さ方向に変位可能なスライド部に設けられ、上記スライド部の変位によりＡ５サイズ用のダイ孔とパンチ刃としても併用可能に形成されていることを特徴とする。
【００１３】
すなわち、本考案に係る上記穿孔パンチにあっては、上記ベース部材の幅方向の一方端部においてミニサイズの用紙に穿孔することができ、上記ベース部材の幅方向の他方端部においてバイブルサイズの用紙に穿孔することができ、同じく上記ベース部材の幅方向の他方端部において上記スライド部を変位させることによりＡ５サイズの用紙に穿孔することができる。
【００１４】
また、本考案に係る上記穿孔パンチは、上記ベース部材には各種サイズの用紙の位置合わせ用センターマークが表示されていると共に、上記ベース部材の長さ方向の端部には、各種サイズの用紙の端縁部を合わせて位置合わせするための基準部が形成されていることを特徴とする。
【００１５】
すなわち、本考案に係る上記穿孔パンチにあっては、用紙を位置決めする場合に、上記センターマークを使用することができると共に、用紙の端縁部を上記基準部に合わせることによっても位置決めすることができ、使用者が自由に選択することができる。
【００１６】
また、本考案に係る上記穿孔パンチは、上記ベース部材には、バイブルサイズ及びＡ５サイズのシステム手帳に装着しうる連結部が設けられていることを特徴とする。
【００１７】
すなわち、本考案に係る上記穿孔パンチにあっては、上記連結部を介して２タイプのシステム手帳に、リフィルと同様に装着することができる。
【００１８】
また、本考案に係る上記穿孔パンチは、上記連結部として、システム手帳のバインダーの綴込リングを挿通しうるリング部が設けられていることを特徴とする。
【００１９】
すなわち、本考案に係る上記穿孔パンチにあっては、システム手帳のバインダーの綴込リングを上記リング部に挿通することにより、システム手帳のバインダーにより容易に保持することができる。 
【考案の効果】
【００２０】
請求項１記載の本考案に係る穿孔パンチは、複数種類のサイズの用紙に対し穿孔可能なパンチ刃とダイ孔が設けられていることから、一台で複数種類のサイズの用紙に対し穿孔することができる。したがって、複数の穿孔パンチを用意しなければならぬという煩雑が解消する。また、上記複数種類のサイズは、システム手帳用のミニサイズ、バイブルサイズ及びＡ５サイズであることから、３タイプのシステム手帳に保持するための用紙に夫々穿孔することができる。
【００２１】
請求項２記載の本考案に係る穿孔パンチは、上記ダイ孔は板状に形成されたベース部材に設けられ、上記パンチ刃は上記ベース部材に対しヒンジ部を介して折り重ね又は起立可能に連結された板状の操作部材に設けられ、上記ダイ孔とパンチ刃は６穴用として形成されていることから、上記操作部材を上記ベース部材の上に重ね合わせた状態では全体が平板状となるので、嵩張らず、携帯に好都合である。
【００２２】
請求項３記載の本考案に係る穿孔パンチは、上記ベース部材と上記操作部材を重ね合わせた状態の厚さ寸法が６．３ｍｍに設定されたことから、システム手帳に装着しても厚さが過大にならず、携帯に邪魔にならず、使い勝手が悪化することがない。   
【００２３】
請求項４記載の本考案に係る穿孔パンチは、上記ベース部材の幅方向の一方端部には上記ミニサイズ用のダイ孔とパンチ刃が配置され、上記ベース部材の幅方向の他方端部にはバイブルサイズ用のダイ孔とパンチ刃が配置され、上記バイブルサイズ用のダイ孔とパンチ刃の一部は上記ベース部材の長さ方向に変位可能なスライド部に設けられ、上記スライド部の変位によりＡ５サイズ用のダイ孔とパンチ刃としても併用可能に形成されていることから、上記ベース部材の両側の端部に夫々３種類の用紙サイズに対応しうる３種類のパンチを効率的に不都合なく形成することができる。   
【００２４】
請求項５記載の本考案に係る穿孔パンチは、上記ベース部材には各種サイズの用紙の位置合わせ用センターマークが表示されていると共に、上記ベース部材の長さ方向の端部には、各種サイズの用紙の端縁部を合わせて位置合わせするための基準部が形成されていることから、用紙を上記センターマークと上記基準部の２個所で位置合わせすることができ、 用紙の位置合わせが便利で、かつ、正確な位置に確実に穿孔することができる。   
【００２５】
請求項６記載の本考案に係る穿孔パンチは、上記ベース部材には、バイブルサイズ及びＡ５サイズのシステム手帳に装着しうる連結部が設けられていることから、２種類のサイズのシステム手帳に装着して、システム手帳と共に携帯することができる。   
【００２６】
請求項７記載の本考案に係る穿孔パンチは、上記連結部として、システム手帳のバインダーの綴込リングを挿通しうるリング部が設けられていることから、システム手帳に対し容易に装着することができる。
【考案を実施するための最良の形態】
【００２７】
以下、図面を用いて本発明の実施の形態について説明する。   
本実施の形態に係る穿孔パンチ１１は、図３〜図６に示すように、複数種類のサイズの用紙に対し穿孔可能なパンチ刃１２，１３，１４，１５，１６，１７，１８，１９，２０，２１，２２，２３と、ダイ孔２４，２５，２６，２７，２８，２９，３０，３１，３２，３３，３４，３５が設けられ、上記複数種類のサイズとしては、システム手帳用のミニサイズ、バイブルサイズ及びＡ５サイズを対象としている。   
【００２８】
また、図３及び図６に示すように、上記ダイ孔２４，２５，２６，２７，２８，２９，３０，３１，３２，３３，３４，３５は板状に形成されたベース部材３６に設けられ、図３〜図６に示すように、上記パンチ刃１２，１３，１４，１５，１６，１７，１８，１９，２０，２１，２２，２３は上記ベース部材３６に対しヒンジ部４０，４１，４２を介して折り重ね又は起立可能に連結された板状の操作部材３７，３８，３９に設けられ、上記ダイ孔２４，２５，２６，２７，２８，２９，３０，３１，３２，３３，３４，３５とパンチ刃１２，１３，１４，１５，１６，１７，１８，１９，２０，２１，２２，２３は６穴用として形成されている。   
【００２９】
また、図２に示すように、上記ベース部材３６と上記操作部材３７，３８，３９を重ね合わせた状態の厚さ寸法が６．３ｍｍに設定されている。   
【００３０】
また、図３〜図６に示すように、上記ベース部材３６の幅方向の一方端部には上記ミニサイズ用のダイ孔２４，２５，２６，２７，２８，２９とパンチ刃１２，１３，１４，１５，１６，１７が配置され、上記ベース部材３６の幅方向の他方端部にはバイブルサイズ用のダイ孔３０，３１，３２，３３，３４，３５とパンチ刃１８，１９，２０，２１，２２，２３が配置され、上記バイブルサイズ用のダイ孔３０，３１，３２，３３，３４，３５とパンチ刃１８，１９，２０，２１，２２，２３の一部は、図６に示すように、上記ベース部材３６の長さ方向に変位可能なスライド部５４に設けられ、上記スライド部５４の変位によりＡ５サイズ用のダイ孔とパンチ刃としても併用可能に形成されている。   
【００３１】
また、図３及び図５に示すように、上記ベース部材３６には各種サイズの用紙の位置合わせ用センターマーク５５、５７，５８が表示されていると共に、上記ベース部材３６の長さ方向の端部には、各種サイズの用紙の端縁部を合わせて位置合わせするための基準部５６，５９，６０が形成されている。   
【００３２】
また、図１に示すように、上記ベース部材３６には、バイブルサイズ及びＡ５サイズのシステム手帳に装着しうる連結部６１，６２が設けられている。また、上記連結部６１，６２として、システム手帳のバインダーの綴込リングを挿通しうるリング部６３，６４が設けられている。 
【実施例１】
【００３３】
図１〜図６は実施例に係る穿孔パンチ１１を示したものである。
本実施例に係る穿孔パンチ１１は、図３〜図６に示すように、複数種類のサイズの用紙に対し穿孔可能なパンチ刃１２，１３，１４，１５，１６，１７，１８，１９，２０，２１，２２，２３と、ダイ孔２４，２５，２６，２７，２８，２９，３０，３１，３２，３３，３４，３５とが設けられている。   
【００３４】
すなわち、上記穿孔パンチ１１は、３種類の用紙、具体的には、システム手帳用のミニサイズ、バイブルサイズ及びＡ５サイズの用紙に夫々穿孔しうるように構成されている。
【００３５】
本考案に係る上記穿孔パンチ１１は、プラスチック素材で板状に形成されたベース部材３６を有し、図３及び図６に示すように、上記ダイ孔２４，２５，２６，２７，２８，２９，３０，３１，３２，３３，３４，３５は上記ベース部材３６に円形に穿設されている。
【００３６】
上記ベース部材３６の上面部には、図１に示すように、同一素材で板状に形成された操作部材３７，３８，３９がヒンジ部４０，４１，４２を介して回動可能に連結され、図３〜図６に示すように、上記操作部材３７，３８，３９に上記パンチ刃１２，１３，１４，１５，１６，１７，１８，１９，２０，２１，２２，２３が設けられている。
上記パンチ刃１２，１３，１４，１５，１６，１７，１８，１９，２０，２１，２２，２３は、上記ダイ孔２４，２５，２６，２７，２８，２９，３０，３１，３２，３３，３４，３５に挿入しうるように、上記ダイ孔２４，２５，２６，２７，２８，２９，３０，３１，３２，３３，３４，３５の内径より僅かに外径が小さい円筒状に形成されている。   
【００３７】
上記操作部材３７，３８，３９は上記ベース部材３６に対し、図３〜図６に示すように起立可能で、かつ、図１及び図２に示すように、折り重ね可能に形成されており、上記操作部材３７，３８，３９と上記ベース部材３６とが重ね合わさった状態の厚さ寸法は６．３ｍｍに設定されている。   
【００３８】
上記ベース部材３６に設けられた上記ダイ孔２４，２５，２６，２７，２８，２９，３０，３１，３２，３３，３４，３５と、上記操作部材３７，３８，３９に設けられた上記パンチ刃１２，１３，１４，１５，１６，１７，１８，１９，２０，２１，２２，２３は、 図１及び図２に示すように、上記ベース部材３６に上記操作部材３７，３８，３９を折り重ねた状態で、上記パンチ刃１２，１３，１４，１５，１６，１７，１８，１９，２０，２１，２２，２３が上記ダイ孔２４，２５，２６，２７，２８，２９，３０，３１，３２，３３，３４，３５に挿入しうるように配置されている。   
【００３９】
なお、図３及び図６に示すように、上記パンチ刃１２，１３，１４，１５，１６，１７，１８，１９，２０，２１，２２，２３は刃部が、上記操作部材３７，３８，３９から突出した状態に設けられているが、その突出量は上記ベース部材３６の厚さ寸法より小さく設定され、上記ダイ孔２４，２５，２６，２７，２８，２９，３０，３１，３２，３３，３４，３５に挿入した際に、上記ベース部材３６を貫通して突出しないようにしている。
【００４０】
図１に示すように、上記ベース部材３６は、幅方向に略２等分した一方端部がミニサイズ用６穴パンチのベース部４３として使用され、反対側の他方端部がバイブルサイズ兼Ａ５サイズ用６穴パンチのベース部４４として使用しうるように形成され、上記バイブルサイズ兼Ａ５サイズ用６穴パンチのベース部４４は上記ミニサイズ用６穴パンチのベース部４３より長さ寸法が大きく、上記バイブルサイズ兼Ａ５サイズ用６穴パンチのベース部４４における長さ方向の両端部は、上記ミニサイズ用６穴パンチのベース部４３より外方へ突出するように形成されている。   
【００４１】
図３及び図４に示すように、上記ミニサイズ用６穴パンチのベース部４３には、長さ方向の６箇所に上記ダイ孔２４，２５，２６，２７，２８，２９が等間隔で設けられ、上記ミニサイズ用６穴パンチのベース部４３の上面部には、１枚の上記操作部材３７が配置され、上記操作部材３７には長さ方向の６箇所に等間隔で上記パンチ刃１２，１３，１４，１５，１６，１７が設けられている。   
【００４２】
図３に示すように、上記ミニサイズ用６穴パンチのベース部４３における長さ方向の両端部には、隣接する２つの上記ダイ孔２４，２５，２８，２９の間に、ミニサイズの用紙の端縁部を当接させて位置決めしうるフック状の係止部４５，４６が上面部に突出するように形成されている。
これらのフック状の係止部４５，４６は、穿孔する用紙を当接させて位置決めをするため、及び、穿孔時に用紙の端部がパンチ刃について持ち上がらないようにするために設けられている。
また、図１及び図４に示すように、上記操作部材３７には、上記ミニサイズ用６穴パンチのベース部４３の上に折り重なった際に上記係止部４５，４６が没入しうる孔部４７，４８が形成されている。   
【００４３】
また、図３に示すように、上記ベース部材３６における上記バイブルサイズ兼Ａ５サイズ用６穴パンチのベース部４４には、長さ方向の６箇所に上記ダイ孔３０，３１，３２，３３，３４，３５が穿設されている。上記ダイ孔３０，３１，３２，３３，３４，３５は、中央部の２つの間隔が他よりも広く、その他は等間隔で配置されている。   
【００４４】
図３及び図５に示すように、上記ベース部材３６における上記バイブルサイズ兼Ａ５サイズ用６穴パンチのベース部４４の上面部には、２枚の上記操作部材３８，３９が長さ方向に離間して配置され、上記操作部材３８，３９には、夫々、３体づつ、長さ方向に等間隔で上記パンチ刃１８，１９，２０，２１，２２，２３が設けられている。 
【００４５】
図３に示すように、上記バイブルサイズ兼Ａ５サイズ用６穴パンチのベース部４４における長さ方向の両端部には、隣接する２つの上記ダイ孔３０，３１，３４，３５の間に、バイブルサイズ及びＡ５サイズの用紙の端縁部を当接させて位置決めしうるフック状の係止部４９，５０が上面部に突出するように形成されている。   
これらのフック状の係止部４９，５０は、穿孔する用紙を当接させて位置決めをするため、及び、穿孔時に用紙の端部がパンチ刃について持ち上がらないようにするために設けられている。
また、図１及び図５に示すように、２枚の上記操作部材３８，３９には、上記バイブルサイズ兼Ａ５サイズ用６穴パンチのベース部４４の上に折り重なった際に上記係止部４９，５０が没入しうる孔部５１，５２が形成されている。   
【００４６】
図６に示すように、上記バイブルサイズ兼Ａ５サイズ用６穴パンチのベース部４４の上面部には凹部５３が形成され、上記凹部５３にスライド部５４が係合され、上記スライド部５４は長さ方向へ移動することにより変位可能で、長さ方向の一端が外方へ突出することにより、上記バイブルサイズ兼Ａ５サイズ用６穴パンチのベース部４４を伸長しうるように形成されている。   
【００４７】
図３及び図６に示すように、上記スライド部５４には、６つの上記ダイ孔３０，３１，３２，３３，３４，３５の中の３つのダイ孔３０，３１，３２が配置され、また、２枚の上記操作部材３８，３９の中の１枚の操作部材３８も配置されている。したがって、３つの上記ダイ孔３０，３１，３２と、上記操作部材３８に設けられた３つの上記パンチ刃１８，１９，２０は、上記スライド部５４の移動に従い変位可能に形成されている。   
【００４８】
上記バイブルサイズ兼Ａ５サイズ用６穴パンチのベース部４４では、バイブルサイズ及びＡ５サイズの用紙に夫々穿孔することができるが、バイブルサイズの用紙に穿孔する場合は、図３に示すように、上記スライド部５４を移動させない状態で使用する。これに対し、Ａ５サイズの用紙に穿孔する場合は、図６に示すように、上記スライド部５４を外方へ突出するように移動させて、上記バイブルサイズ兼Ａ５サイズ用６穴パンチのベース部４４を長さ方向に伸長した状態で使用する。   
【００４９】
図３に示すように、上記ベース部材３６の上記ミニサイズ用６穴パンチのベース部４３における長さ方向の中心部には、ミニサイズの用紙を位置合わせしうるセンターマーク５５が表示されると共に、長さ方向の一端縁部には、ミニサイズの用紙の端縁部を合わせて位置合わせしうるリブ状の基準部５６が設けられている。   
【００５０】
図３に示すように、上記ベース部材３６の上記バイブルサイズ兼Ａ５サイズ用６穴パンチのベース部４４には、バイブルサイズの用紙を位置決めするためのセンターマーク５７と、Ａ５サイズの用紙を位置決めするためのセンターマーク５８が表示されている。また、長さ方向の一方の端縁部には、バイブルサイズの用紙の端縁部を合わせて位置合わせしうるリブ状の基準部５９が設けられると共に、他方の端縁部には、Ａ５サイズの用紙の端縁部を合わせて位置合わせしうるリブ状の基準部６０が設けられている。なお、２つの上記センターマーク５７，５８と、上記基準部５９は、上記スライド部５４に設けられている。   
【００５１】
図３に示すように、上記ベース部材３６には、バイブルサイズ及びＡ５サイズのシステム手帳に装着しうる連結部６１，６１が設けられている。上記連結部６１，６２は、システム手帳のバインダーの綴込リングを挿通しうるリング部６３，６４として設けられている。上記リング部６３，６４は、上記ミニサイズ用６穴パンチのベース部４３における側縁部から外方へ突出するように設けられ、長さ方向の両端部に配置されている。   
【００５２】
なお、上記操作部材３７，３８，３９には、図１に示すように、上記ベース部材３６に対し起立させる場合に、指を掛けることができるツマミ片６５，６６，６７が側縁部に突設されている。   
【００５３】
次に、上記実施例の作用について説明する。上記実施例に係る穿孔パンチ１１は、１台で、システム手帳のミニサイズ、バイブルサイズ及びＡ５サイズの用紙に穿孔することができる。したがって、穿孔パンチを３台用意する煩雑さを解消することができる。
【００５４】
また、上記穿孔パンチ１１は、上記ベース部材３６に設けられた上記リング部６３，６４にバインダーの綴込リングを挿通することにより、バイブルサイズ及びＡ５サイズの手帳に取り付けて携帯することができる。 その場合、上記ベース部材３６に対し上記操作部材３７，３８，３９を折り重ねて全体を平板状にすることができ、かつ、その場合の厚さ寸法が６．３ｍｍに設定されていることから、厚さが過大にならず、また、ベース部材３６の長さ寸法はバイブルサイズのシステム手帳の長さ寸法と略同一に形成されると共に、全体の幅寸法はバイブルサイズのシステム手帳の幅寸法よりも小さく形成されていることから、バイブルサイズのシステム手帳に取り付けて携帯する場合には、嵩張らず、邪魔になることがなく携帯性が頗る良好である。   
【００５５】
本考案に係る上記穿孔パンチ１１は、上記のように３つのサイズの用紙に対し穿孔することができるが、ミニサイズの用紙に穿孔する場合は、用紙を上記ベース部材３６におけるミニサイズ用６穴パンチのベース部４３の上にセットし、上記操作部材３７をベース部材３６の上に折り重ねればよい。   
その場合、用紙は上記センターマーク５５や上記基準部５６において位置合わせすることができるので、正確な位置に穿孔可能である。   
【００５６】
バイブルサイズ及びＡ５の用紙に穿孔する場合は、用紙を上記バイブルサイズ兼Ａ５サイズ用６穴パンチのベース部４４の上にセットし、上記操作部材３８，３９をベース部材３６の上に折り重ねればよい。この場合も、用紙は上記センターマーク５７，５８や上記基準部５９，６０において位置合わせすることができるので、正確な位置に穿孔可能である。   
【００５７】
なお、バイブサイズの用紙に穿孔する場合と、Ａ５の用紙に穿孔する場合は、用紙をセットする場合に操作が若干異なる。すなわち、バイブルサイズの用紙に穿孔する場合は、上記ベース部材３６に設けられた上記スライド部５４を変位させる必要はないが、Ａ５サイズの用紙に穿孔する場合は、上記スライド部５４を変位させて上記バイブルサイズ兼Ａ５サイズ用６穴パンチのベース部４４の長さを伸長させる。これにより、上記バイブルサイズ兼Ａ５サイズ用６穴パンチのベース部４４は、バイブルサイズの用紙に穿孔する場合と、Ａ５サイズの用紙に穿孔する場合に併用することができる。したがって、パンチ１台分の構成が不要となり、構成を単純化することができる。
また、上記スライド部５４は元の位置に戻すことができるので、携帯する場合は、使用する場合に比べ、長さ方向に縮小できるので、携帯上の不具合はない。
【産業上の利用可能性】
【００５８】
本考案は用紙に穿孔するパンチに適用可能である。 
【図面の簡単な説明】
【００５９】
【図１】本考案の実施例に係る穿孔パンチを示すもので、ベース部材に対し操作部材を折り重ねた状態の平面図である。
【図２】本考案の実施例に係る穿孔パンチを示すもので、ベース部材に対し操作部材を折り重ねた状態の側面図である。
【図３】本考案の実施例に係る穿孔パンチを示すもので、ベース部材に対し操作部材を起立させた状態の平面図である。
【図４】本考案の実施例に係る穿孔パンチを示すもので、ベース部材に対しミニサイズ用の操作部材を起立させた状態の正面図である。
【図５】本考案の実施例に係る穿孔パンチを示すもので、ベース部材に対しバイブル及びＡ５サイズ用の操作部材を起立させた状態の正面図である。
【図６】本考案の実施例に係る穿孔パンチを示すもので、ベース部材に対しスライド部を変位させた状態の平面図である。
【符号の説明】
【００６０】
１１  穿孔パンチ
１２  パンチ刃
１３  パンチ刃
１４  パンチ刃
１５  パンチ刃
１６  パンチ刃
１７  パンチ刃
１８  パンチ刃
１９  パンチ刃
２０  パンチ刃
２１  パンチ刃
２２  パンチ刃
２３  パンチ刃
２４  ダイ孔
２５  ダイ孔
２６  ダイ孔 
２７  ダイ孔 
２８  ダイ孔
２９  ダイ孔
３０  ダイ孔
３１  ダイ孔
３２  ダイ孔
３３  ダイ孔
３４  ダイ孔
３５  ダイ孔
３６  ベース部材
３７  操作部材
３８  操作部材
３９  操作部材 
４０  ヒンジ部  
４１  ヒンジ部
４２  ヒンジ部
４３  ミニサイズ用６穴パンチのベース部
４４  バイブルサイズ兼Ａ５サイズ用６穴パンチのベース部
４５  係止部
４６  係止部
４７  孔部
４８  孔部
４９  係止部
５０  係止部 
５１  孔部 
５２  孔部
５３  凹部
５４  スライド部
５５  センターマーク
５６  基準部  
５７  センターマーク
５８  センターマーク
５９  基準部
６０  基準部
６１  連結部
６２  連結部
６３  リング部
６４  リング部
６５  ツマミ片
６６  ツマミ片
６７  ツマミ片
【図１】
0003126884.tif 000003
【図２】
0003126884.tif 000004
【図３】
0003126884.tif 000005
【図４】
0003126884.tif 000006
【図５】
0003126884.tif 000007
【図６】
0003126884.tif 000008